(57)【要約】      （修正有）【課題】一週間分の被包装物、特に医薬を包装するための包装体を提供する。【解決手段】１日分の被包装物を収容する収容部１０を７個有し、前記収容部の位置に対応した凹部２を有する成形シート３及び前記成形シートに貼り合わせるためのシールシートを含む、一週間分包装体であって、前記収容部は、それぞれ、略同一形状からなり、略同心円上かつ略回転対称となる位置に配置され、前記収容部のそれぞれには、前記被包装物が使用される曜日を表示した曜日表示部が設けられている、上記一週間分包装体１。【選択図】図１Ａ
0003192347.tif 000002
【実用新案登録請求の範囲】
【請求項１】
１日分の被包装物を収容する収容部を７個有し、前記収容部の位置に対応した凹部を有する成形シート及び前記成形シートに貼り合わせるためのシールシートを含む、一週間分包装体であって、
前記収容部は、それぞれ、略同一形状からなり、前記７個の収容部のうち少なくとも６個は、略同心円上かつ略回転対称となる位置に配置され、
前記収容部のそれぞれには、前記被包装物が使用される曜日を表示した曜日表示部が設けられている、
上記一週間分包装体。
【請求項２】
全体の形状が蜂の巣形状、円形状又は花の形状である請求項１に記載の包装体。
【請求項３】
全体の形状が蜂の巣形状であり、７個の収容部のうち６個が、略同心円上かつ略回転対称となる位置に、隣接する収容部同士が一辺を共有して配置され、他の１個の収容部は、前記６個の収容部のすべてと一辺ずつを共有し、同心円の中心付近に配置される、請求項２に記載の包装体。
【請求項４】
各収容部を相互に分離可能にする分離機構を具備する、請求項１〜３のいずれかに記載の包装体。
【請求項５】
曜日の表示が、印刷、エンボス加工又は点字により行われている請求項１〜４のいずれかに記載の包装体。
【請求項６】
曜日表示部がシールシートの裏面に設けられている請求項１〜５のいずれかに記載の包装体。
【請求項７】
各収容部が、それぞれ異なる色を有する色表示部を有する請求項１〜６のいずれかに記載の包装体。
【請求項８】
色表示部がシールシートの裏面に設けられている請求項７に記載の包装体。
【請求項９】
それぞれ異なる色がユニバーサルカラーを構成する、請求項７又は８に記載の包装体。
【考案の詳細な説明】
【技術分野】
【０００１】
本考案は、被包装物、特に医薬を包装するための包装体に関する。より具体的には、本考案は、一週間分の被包装物、特に医薬を包装するためのブリスターパックである包装体に関する。
[考案の背景]
【０００２】
ブリスターパックは、合成樹脂製の成型シートに形成した多数の凹部に被包装物を一定単位ずつ収容したのち、この成型シートにアルミ箔などのシールシートを貼り合わせて各凹部の開口を封止してあり、被包装物を個別に包装してあるうえ、コンパクトで携帯性に優れ、見栄えもよく使用時にも取り出しやすい利点があることから、医薬や食品、雑貨などの包装に広く使用されている。
【０００３】
特に、医療用医薬は、医療機関や薬局からは一週間を単位として服用者に支給されることが多い。しかし、医薬を包装するブリスターパックの包装体は、一般に四辺形の形状のものが多く、これらは、７個以外の個数の被包装物を単位とする包装体であることが多いことから、一週間を単位とする医薬の場合には端数が生じることが多い。また、一週間を単位として医薬を支給したり持ち運びする際には、包装体を切り取る手間が生じる場合がある。そのため、包装体１個に一週間分の医薬が包装された包装体であれば、医療機関や薬局および服用者にとって利便性が高くなる。
【０００４】
特許文献１、２、１７および１８には、７個の収容部を有する四辺形形状の包装体が開示されている。特許文献４および５には、７個の収容部単位で切り離し可能な四辺形形状の包装体が開示されている。特許文献３、７、９、１１〜１４および１６には、一週間分の複数個の医薬ごとに収容部を有するかまたは複数週間分の医薬の収容部を有する四辺形形状の包装体が開示されている。特許文献８、１０、１９、２０には、服用スケジュールのために曜日または日付が表示された四辺形形状の包装体が開示されている。特許文献５および１６には、一週間分の複数個の医薬ごとに収容部を有するかまたは複数週間分の医薬の収容部を有する円形状の包装体が開示されている。
【先行技術文献】
【特許文献】
【０００５】
【特許文献１】特許第特許第５２４１９１１号明細書
【特許文献２】特開２０１３−０９５５０７号公報
【特許文献３】特許第４５２０９８７号明細書
【特許文献４】特開平１１−１３９４５４号公報
【特許文献５】実用新案登録第３１１７６２２号明細書
【特許文献６】特表２０１１−５３０４６０号公報
【特許文献７】特開２０１２−１３６２５６号公報
【特許文献８】特開２０１２−１３１５６４号公報
【特許文献９】特表２００９−５００１３３号公報
【特許文献１０】特許第４９０３２０３号明細書
【特許文献１１】特表２００７−５３１５４１号公報
【特許文献１２】特開２００５−３４２１６２号公報
【特許文献１３】特許第４１８０５２８号明細書
【特許文献１４】特開２００２−１１９５７４号公報
【特許文献１５】実用新案登録第３１５５３３３号明細書
【特許文献１６】実開平２−１２９０７４号公報
【特許文献１７】実開昭６０−１６８８３０号公報
【特許文献１８】実開昭６０−１７５０７０号公報
【特許文献１９】国際公開ＷＯ０８／１４６８３６号パンフレット
【特許文献２０】実用新案登録第３０２０９５６号明細書
【非特許文献】
【０００６】
【非特許文献１】意匠登録第１２８６６６８号公報
【考案の概要】
【考案が解決しようとする課題】
【０００７】
上記のとおり医薬を包装するブリスターパックとして一般に用いられることが多い四辺形の形状の包装体の場合、一週間を単位として包装されていないものが多いため、一週間を単位とする医薬を支給したり持ち運びする際には所定の個数を切り取りをする手間が生じたり、切り取った結果端数が生じたりするといった問題がある。また、一週間を単位として包装されていても、医薬を所定の日に服用したのかどうかわからなくなるなど、服用スケジュールの管理が難しくなる。さらに、上記四辺形の形状は、他の医薬との識別性が低いため、処方ミスまたは服用ミスが生じやすいといった問題がある。
【課題を解決するための手段】
【０００８】
上記問題に鑑み、本考案は、一週間分の被包装物、特に医薬を包装するための、独特の形状を有し、被包装物を使用する曜日を表示した包装体を提供することを目的とした。
上記課題を解決するために本考案者らは包装の形状、構成、文字の表示または色彩等を鋭意検討したところ、特定の形状、構成、文字の表示または色彩等とすることにより上記課題を解決するために適した包装体を提供することができることを見出し、さらに検討を進めた結果、本考案を完成するに至った。
【０００９】
すなわち、本考案は、少なくとも下記の各考案に関する。
【００１０】
［１］  １日分の被包装物を収容する収容部を７個有し、前記収容部の位置に対応した凹部を有する成形シート及び前記成形シートに貼り合わせるためのシールシートを含む、一週間分包装体であって、
前記収容部は、それぞれ、略同一形状からなり、略同心円上かつ略回転対称となる位置に配置され、
前記収容部のそれぞれには、前記被包装物が使用される曜日を表示した曜日表示部が設けられている、
上記一週間分包装体。
［２］  全体の形状が蜂の巣形状、円形状又は花の形状である上記［１］に記載の包装体。
［３］  全体の形状が蜂の巣形状であり、７個の収容部のうち６個が、略同心円上かつ略回転対称となる位置に、隣接する収容部同士が一辺を共有して配置され、他の１個の収容部は、前記６個の収容部のすべてと一辺ずつを共有し、同心円の中心付近に配置される、上記［２］に記載の包装体。
［４］  各収容部を相互に分離可能にする分離機構を具備する、上記［１］〜［３］のいずれかに記載の包装体。
［５］  曜日の表示が、印刷、エンボス加工又は点字により行われている上記［１］〜［４］のいずれかに記載の包装体。
［６］  曜日表示部がシールシートの裏面に設けられている上記［１］〜［５］のいずれかに記載の包装体。
［７］  各収容部が、それぞれ異なる色を有する色表示部を有する上記［１］〜［６］のいずれかに記載の包装体。
［８］  色表示部がシールシートの裏面に設けられている上記［７］に記載の包装体。
［９］  それぞれ異なる色がユニバーサルカラーを構成する、上記［７］又は［８］に記載の包装体。
【考案の効果】
【００１１】
本考案の包装体は、週間単位で処方する医薬を、包装体を切り取る手間を要さず、また端数を生じることなく提供することができ、医療機関や薬局にとって取扱いが簡便となる効果を奏する。服用者にとっても、服用を曜日で管理することができ、服用忘れや重複服用といった服用ミスを防止することができる効果を奏する。
また、本考案の包装体は、医薬の包装体として広く用いられている四辺形形状とも異なる独特の形状を有することから、医療機関や薬局および服用者が他の医薬と容易に区別することができ、また医薬の種類を容易に特定することができ、それにより処方ミスおよび服用ミスを防止することができる効果を奏する。
さらに、本考案の包装体の独特の形状は、服用者に対して見た目を楽しませて、服用を長続きさせ服薬コンプライアンスやアドヒアランスの向上が期待されるといった効果も奏することができる。
【図面の簡単な説明】
【００１２】
【図１Ａ】本考案の第１の実施形態における、蜂の巣形状を有する本考案の包装体の例の表面図を示す。
【図１Ｂ】本考案の第１の実施形態における、蜂の巣形状を有する本考案の包装体の例の裏面図を示す。色の組合せとして、例えば、日曜が赤色、月曜が黄色、火曜が黄土色、水曜が青色、木曜が緑色、金曜が紫色、土曜が橙色である。
【図２Ａ】本考案の第１の実施形態において、空気穴（７）を有する本考案の包装体の例の表面図を示す。図の右上部分において、成形シートを一部開封した構造を示す。
【図２Ｂ】本考案の第１の実施形態において、空気穴（７）を有する本考案の包装体の例の裏面図を示す。色の組合せとして、例えば、日曜が赤色、月曜が黄色、火曜が黄土色、水曜が青色、木曜が緑色、金曜が紫色、土曜が橙色である。
【図３Ａ】本考案の第２の実施形態における、円形状を有する本考案の包装体の例の表面図を示す。図の右上部分において、成形シートを一部開封した構造を示す。
【図３Ｂ】本考案の第２の実施形態における、円形状を有する本考案の包装体の例の裏面図を示す。色の組合せとして、例えば、日曜が赤色、月曜が黄色、火曜が黄土色、水曜が青色、木曜が緑色、金曜が紫色、土曜が橙色である。
【図４Ａ】本考案の第３の実施形態において、中心シート部分（１２）を有する花の形状を有する本考案の包装体の例の表面図を示す。花弁型の形状を有する各収容部（１０）は、それらの尖端部が中心シート部分（１２）を介して包装体（１）の中心部で向き合う状態となって、保持される。図の右上部分において、成形シートを一部開封した構造を示す。
【図４Ｂ】本考案の第３の実施形態において、中心シート部分（１２）を有する花の形状を有する本考案の包装体の例の裏面図を示す。色の組合せとして、例えば、日曜が赤色、月曜が黄色、火曜が黄土色、水曜が青色、木曜が緑色、金曜が紫色、土曜が橙色である。
【考案を実施するための形態】
【００１３】
以下、本考案を詳細に説明する。
【００１４】
本明細書において、「包装体」とは、被包装物を包装するための包装容器そのものを指す場合もあれば、被包装物が包装されて包装容器と一体となったものを指す場合もある。本考案の包装体は、特に、平面状の形状を有し、複数の被包装物が当該平面上で個別に収容された包装体であって、ブリスターパックとして製造される包装体を指す。
【００１５】
本明細書において、「成型シート」とは、ブリスターパック包装体の構成部品であり、平面の中に、被包装物を収容するための凹部が備えられた形状を有するシートである。成型シートには、例えば、ポリ塩化ビニル（ＰＶＣ）、ポリプロピレン（ＰＰ）、ポリエチレン（ＰＥ）、ポリエチレンテレフタレート（ＰＥＴ）、ポリスチレン（ＰＳ）等のプラスチックの単体材料や複合材料、或いはアルミ箔との複合材料を用いることができる。成型シートは、被包装物を見ることができるために、透明または半透明であることが好ましい。
本明細書において、「シールシート」とは、ブリスターパック包装体の構成部品であり、平面の形状を有し、成形シートに貼り合わせることによって、成型シートの凹部を凹部の開口において封止するためのシートである。シールシートとしては、例えば、アルミ箔、紙、プラスチックフィルム等を用いることができる。
【００１６】
本明細書において、「収容部」とは、被包装物を収容するための各凹部の位置に応じて包装体を略等分された各領域部分の単位を指す。すなわち、収容部とは１個の凹部を含む包装単位であって、収容部が集合することによって包装体全体を形成する、便宜上の概念であり、分離機構によって物理的に区分されていてもいなくてもよい。
【００１７】
本考案においては、包装体は、収容部を７個有する。各収容部の凹部には、１日分の被包装物が収容されることが好ましい。当該収容部は、それぞれ、略同一形状からなり、略同心円上かつ略回転対称となる位置に配置されることが好ましい。収容部の形状としては、例えば、三角形、四角形、五角形、六角形、七角形などの多角形、円形、楕円形、円弧形、花弁型、ハート型およびこれらに近似または類似する形状が挙げられる。当該収容部の配置としては、例えば、１個の収容部が包装体の中央部に位置し残りの６個の収容部が包装体の中央部を中心とする同心円上に略等間隔に位置された配置、７個の収容部が包装体の中央部を中心とする同心円上に略等間隔に位置された配置が挙げられる。
【００１８】
以下に本考案について、適宜図面及び／又は図面中の符号を引用しながらより詳細に説明する。
本考案の包装体は、例えば、収容部の位置に対応した凹部（２）を有する成型シート（３）を形成し、各凹部（２）に被包装物（４）を収容し、シールシート（６）を、各凹部（２）の開口（５）を封止するように成型シート（３）へ貼り合わせることによって製造することができる。
被包装物（４）としては、例えば医薬、特に１日１回服用する医薬が挙げられ、特に、錠剤、カプセル剤などの固形医薬が挙げられる。
【００１９】
収容部のそれぞれには、前記被包装物が使用される曜日を表示した曜日表示部が設けられていることが好ましい。曜日表示部における曜日の表示は、例えば、印刷、エンボス加工又は点字により行うことができる。曜日表示部は、シールシートの裏面もしくは表面または凹部またはこれらの複数の箇所に設けられていてもよく、シールシートの裏面に設けられていることが好ましい。
各収容部が、それぞれ異なる色を有する色表示部を有していることが好ましい。色の種類としては、例えば、赤色、黄色、黄土色、青色、緑色、紫色、橙色などが挙げられ、各曜日のイメージと関連付けられている色が好ましい。例えば、日曜が赤色、月曜が黄色など、曜日をイメージしやすい色にし、さらに好ましくは、隣り合う曜日で近い系統の配色を避けるなどの配慮をすべきである。また、色覚が弱い人を含めて万人に識別できるように、それぞれ異なる色が、例えばユニバーサルカラーを構成していてもよい。色表示部は、シールシートの裏面または表面または両方に設けられていてもよく、シールシートの裏面に設けられていることが好ましい。
【００２０】
本考案の包装体は、包装体の大きさ、形状、被包装物の用途などに応じて、各収容部を相互に分離可能にする分離機構を具備していてもよい。
上記分離機構としては、例えば、収容部の境界へのミシン目線、スリットなどの切取り線、収容部の接点部または境界部への空洞、収容部同士の接点状に接続、収容部同士における接着などが挙げられる。これらの分離機構を導入する方法は限定されず、本技術分野において公知の方法を用いることができる。
【００２１】
本考案の包装体は、誤嚥時の窒息防止のために、空気穴を有していてもよい。誤嚥時の粘膜損傷を防止するために、包装体の外周部の角は、丸められていてもよい。
【００２２】
以下、実施例に基づいて本考案をより詳細に説明するが、本考案はこれらに限定されるものではなく、また本考案の範囲を逸脱しない範囲で変化させてもよい。
【実施例】
【００２３】
本考案の第１の実施形態において、包装体は、蜂の巣形状を有する（図１ＡおよびＢならびに図２ＡおよびＢ）。
この実施形態においては、収容部（１０）は略正六角形の形状を有し、包装体（１）は、１個の収容部の周囲に残りの６つの包装単位が辺を接して配置された形状、すなわち蜂の巣形状を有する。誤嚥時の粘膜損傷を防止するために、包装体（１）の外周部の角は、丸められていることが好ましい。
誤嚥時の窒息防止のために、包装体（１）は空気穴（７）を有することが好ましい（図２ＡおよびＢ）。収容部（１０）の密閉性を維持しつつ包装体（１）の面積に対する空気穴（７）の面積の比率を高めるために、空気穴（７）は、各収容部（１０）の六角形の各角の近傍に施されていることが好ましい。包装体（１）のサイズに応じて、各収容部（１０）の境界には分離機構（９）が具備されていてもよい。
曜日表示部（１１）は、シールシートの裏面に設けられていることが好ましい。
各収容部（１０）には、色表示部が設けられていることが好ましく、好ましくは、色表示部がシールシートの裏面に設けられ、収容部（１０）の裏面全体が色表示部を形成することがより好ましい。
【００２４】
本考案の第２の実施形態において、包装体（１）は、円形状を有する（図３ＡおよびＢ）。
この実施形態においては、７個の収容部（１０）は、同心円上に略等間隔に、全体として円弧状に配置される。
包装体（１）の中心部には空洞（８）が設けられていてもよい。空洞（８）は、好ましくは円形である。包装体（１）には、色表示部が設けられていることが好ましい。色表示部は、好ましくは、シールシート（６）の裏面に設けられ、シールシート（６）の裏面の各凹部（２）に対応する部分が色表示部を形成することは、より好ましい。
【００２５】
本考案の第３の実施形態において、包装体（１）は、花の形状を有する（図４ＡおよびＢ）。
この実施形態においては、収容部（１０）は尖端部を有する花弁型、例えばやや細長いハート型の形状を有し、包装体（１）は、各収容部（１０）の尖端部が当該包装体（１）の中心部で向き合い、各収容部（１０）が当該包装体（１）の中心部を略等間隔で囲むように配置された形状を有する。包装体（１）の中心部には中心シート部分（１２）が設けられていてもよく、各収容部（１０）の尖端部が中心シート部分（１２）を介して当該包装体（１）の中心部で向き合って保持されていてもよい。
各収容部（１０）の境界及び／又は各収容部（１０）と中心シート部分（１２）との境界には、好ましくは分離機構（９）が具備されている。
当該包装体（１）には、色表示部が設けられていることが好ましく、より好ましくは、色表示部がシールシート（６）の裏面に設けられ、シールシート（６）の裏面の各凹部（２）に対応する部分が色表示部を形成することが、一層より好ましい。
【００２６】
花の形状は、美感や安心感を与えるイメージを醸し出すことができるため、この実施形態における包装体（１）は、好ましくは婦人科領域の医薬や小児用医薬に好ましく採用することができる。
【産業上の利用可能性】
【００２７】
本考案の包装体は、医薬を一週間を単位として包装することにより一週間を単位とする医薬を支給したり持ち運びするための利便性を高め、曜日表示部を有することにより服用スケジュールの管理を容易にし、独特の形状を有することにより他の医薬との区別を容易にする。したがって、本考案は医薬に関連する産業の発展に大きく寄与する。
【符号の説明】
【００２８】
１…包装体
２…凹部
３…成型シート
４…被包装物
５…開口
６…シールシート
７…空気穴
８…空洞
９…分離機構
１０…収容部
１１…曜日表示部
１２…中心シート部分
【図１Ａ】
0003192347.tif 000003
【図１Ｂ】
0003192347.tif 000004
【図２Ａ】
0003192347.tif 000005
【図２Ｂ】
0003192347.tif 000006
【図３Ａ】
0003192347.tif 000007
【図３Ｂ】
0003192347.tif 000008
【図４Ａ】
0003192347.tif 000009
【図４Ｂ】
0003192347.tif 000010